(57)【要約】【課題】一度加締めた後のリベットを比較的容易に取り外して同じ孔に再度リベットを加締めることが可能なリベットの加締め装置及びそのリベットの取り外し方法を提供する。【解決手段】２つの板状部分を有する被取付部材５１、５２のリベット孔５１Ａ、５２Ａに挿通されたリベット２を加締用の金具４で締め付けて押潰し、被取付部材５１、５２を一体に固定させるリベットの加締め装置であって、リベット２の上方から押圧する上側金具４は、先端がテーパ状を有する突起４１を押圧面のセンター部分に備え、リベット２は、上側金具４の突起４１が入り込むテーパ溝２２が上側金具４の押圧面４Ａに押圧される先端面２１のセンター部分を通過する状態で形成されているとともに、テーパ溝２２からリベット２の本体軸部２Ｂの軸線方向に所要の深さまで切り込み溝２３が形成されている。【選択図】図１
2012152818.tif 000002
【特許請求の範囲】
【請求項１】
少なくとも２つの被取付部材のリベット孔に貫挿されたリベットを、上下に配置した加締用の金具を用いて締め付けて押潰し、前記被取付部材を一体に固定させるリベットの加締め装置であって、
前記リベットの上方から押圧する上側金具は、先端がテーパ状を有する突起を押圧面の中心を通過する部分に備え、
前記リベットは、前記上側金具の突起が入り込むテーパ状溝の斜面が上側金具の押圧面に対面する先端面の中心を通過して対称的に若しくは放射状に形成されているとともに、前記テーパ状溝の斜面からリベットの本体軸部の軸線方向奥部に所要の深さまで切り込み溝が形成されている、
ことを特徴とするリベットの加締め装置。
【請求項２】
少なくとも２つの板状部分を有する被取付部材のリベット孔に貫挿されたリベットを、上下に配置した加締用の金具を用いて締め付けて押潰し、前記被取付部材を一体に固定させるリベットの加締め装置であって、
前記リベットの先端を上方から押圧する上側金具は、押圧面が平坦な形状を有し、
前記リベットは、前記上側金具が当接するテーパ状斜面が、上側金具の押圧面に対面する先端面の中心を通過する所定の分割ライン状に対称的に若しくは放射状に形成されているとともに、前記リベットのテーパ状斜面からリベット本体軸部の軸線方向奥部に所要の深さまで、断面略Ｖ字型となるように先端に向けて次第に分岐して拡開するＶ溝が形成されている、
ことを特徴とするリベットの加締め装置。
【請求項３】
請求項１又は２に記載の加締め装置で加締めたリベットを、前記リベットの本体軸部の外径とほぼ同一外径を有するドリルを用いて取り除くリベットの取り外し方法であって、
前記リベットとドリルとの軸芯を合わせて所定深さまで抉ることで、
前記リベットの中心軸部と外側へ分岐した先端部側と、をそれぞれ分断し、
前記被取付部材から前記リベットを取り除く、
ことを特徴とするリベットの取り外し方法。
【発明の詳細な説明】
【技術分野】
【０００１】
本発明は、リベットを簡単に取り外すことが可能となるようなリベットの加締め装置及びそのリベットの取り外し方法に関するものである。
【背景技術】
【０００２】
従来の加締め装置では、例えば図８に示すリベット１００を用いて加締めるのが一般的である。即ち、図９に示すように、一体に取付けようとする２つの板状部材１０１，１０２に開口した２つの孔に対して、リベット１００を挿入させる（同図（Ａ）参照）。その後、リベット１００の下部を下側金具１１０で支持するのと同時に、上方向から加締め用の工具１２０を押圧することでリベット１００上部を押潰させ、双方の板状部材１０１，１０２を圧接状態に固定させている（同図（Ｂ）参照）。
【０００３】
また、例えば電池モジュールの電極などには、リベットの一部に応力が集中するのを防止するための工夫がなされた加締め装置も提案されている（例えば、特許文献１参照）。
【０００４】
即ち、図１０に示すように、ここで用いるリベット２００は先端がスリット状の細溝200Ａで分割された導通部となる金属製のものであって、金属端子２０１に設けられた貫通孔２０１Ａを貫通して電池モジュール側に固定されている。なお、ここで、金属端子２０１の貫通孔２０１Ａは、少なくとも先端側に向かって拡大するテーパ孔として構成されている。
【０００５】
このようなリベット２００を加締めて取付ける場合には、リベット２００をガスケット２０２、蓋体２０３、絶縁体２０４および金属端子２０１に貫通させた後、リベット２００の先端の細溝２００Ａに向かって、図１０（Ａ）に示すような、先端が円錐形の金型３０１、例えば円錐形のパンチ或いはクリンチなどを押し付ける。同時にリベット２００の下方から上面が平らな金型３０２、例えばアンビルなどを押し付ける。金型３０１の先端の傾斜は、貫通孔２０１Ａの傾斜面の傾斜角と一致するようにしておく。
【０００６】
なお、金属端子２０１には、直線状の貫通孔を形成した後、ドリル加工またはプレス加工により形成することにより、上述したテーパ状の貫通孔２０１Ａを予め設けておく。このように挿通させたリベット２００に対して、金型３０１および金型３０２を押し付けることで、同図（Ｂ）に示すように、リベット２００の先端部は、放射状に広がり、その外周面の下端部が貫通孔２０１Ａの傾斜面に沿って密着する。このときガスケット２０２は圧縮され、ある程度圧縮された状態で保持される。さらに、同図（Ｃ）に示すような別種の金型３０３を用いて、リベット２００の先端部をさらに拡径させる。これによりリベット２００の先端部は、下片の表面に沿う状態まで屈曲され、かしめ工程が完了する。
【先行技術文献】
【特許文献】
【０００７】
【特許文献１】特開２００８−１９２５５２号公報
【発明の概要】
【発明が解決しようとする課題】
【０００８】
ところで、加締めた後のリベットにあっては、加締め状態が良好では無く、例えば双方の板状部材の取付状態が緩く、リベットで固定された２つの板状部材の間に隙間等を生じたり、がたつきを生じる、などの何らかの取付け異常などを発生する場合もある。こういった場合には、リベットを取り外して再度加締め直すことが必要である。
【０００９】
しかしながら、上記した前者のリベットでは加締めて潰れ、不規則に変形した状態となっているので、容易には取り外せない。つまり、通常、リベットは、一度加締めて取付けると、取り外すといったことは想定されていないものであった。従って、その部品は廃棄するか、極端な場合には、その部品を取付けてある製品自体を廃棄して新たに別の部品で加締めて製品を新たに組立て直すことが必要となっている。
【００１０】
一方、後者のタイプのリベットについても、リベットを完全に取り外そうとするのが難しい。即ち、何らかの手段を用いて、リベットの本体軸部の部分を板状部材から切断して取り外すことができるかも知れないが、リベットの細溝で分割された各先端部分は最上層の金属端子のテーパ状の孔の内周面に斜めにしっかりと食い込んでいるので、簡単には取り外せない。このため、同じ板状部材の同じ孔の部分にもう一度リベットを加締め直そうとする作業は、非常に厄介で困難なものであった。
【００１１】
このように、加締め不良の部品を一度ばらばらに分解して各部品の加締め直し等を図りたいといった要求から、加締めた後のリベットを比較的容易に取り外して同じ孔に再度リベットを加締めることが可能となる新規の加締め装置の開発要求が高まっている。また、資源のリサイクルや有効活用等の背景からもリベットの取り外しが可能となる加締め装置の開発要求が強まっている。
【００１２】
そこで、本発明は、上記した事情に鑑み、一度加締めた後のリベットを比較的容易に取り外して同じ孔に再度リベットを加締めることが可能なリベットの加締め装置及びそのリベットの取り外し方法を提供することを目的とする。
【課題を解決するための手段】
【００１３】
上記目的を達成するため、
（１）本発明のリベットの加締め装置は、少なくとも２つの被取付部材のリベット孔に貫挿されたリベットを、上下に配置した加締用の金具を用いて締め付けて押潰し、前記被取付部材を一体に固定させるリベットの加締め装置であって、
前記リベットの上方から押圧する上側金具は、先端がテーパ状を有する突起を押圧面の中心を通過する部分に備え、
前記リベットは、前記上側金具の突起が入り込むテーパ状溝の斜面が上側金具の押圧面に対面する先端面の中心を通過して対称的に若しくは放射状に形成されているとともに、前記テーパ状溝の斜面からリベットの本体軸部の軸線方向奥部に所要の深さまで切り込み溝が形成されている、ことを特徴とする。
【００１４】
（２）また、本発明のリベットの加締め装置は、少なくとも２つの板状部分を有する被取付部材のリベット孔に貫挿されたリベットを、上下に配置した加締用の金具を用いて締め付けて押潰し、前記被取付部材を一体に固定させるリベットの加締め装置であって、
前記リベットの先端を上方から押圧する上側金具は、押圧面が平坦な形状を有し、
前記リベットは、前記上側金具が当接するテーパ状斜面が、上側金具の押圧面に対面する先端面の中心を通過する所定の分割ライン状に対称的に若しくは放射状に形成されているとともに、前記リベットのテーパ状斜面からリベット本体軸部の軸線方向奥部に所要の深さまで、断面略Ｖ字型となるように先端に向けて次第に分岐して拡開するＶ溝が形成されている、ことを特徴とする。
【００１５】
（３）また、リベットの取り外し方法は、前記（１）又は（２）の何れかの加締め装置で加締めたリベットを、前記リベットの本体軸部の外径とほぼ同一外径を有するドリルを用いて取り除く、リベットの取り外し方法であって、
前記リベットとドリルとの軸芯を合わせて所定深さまで抉ることで、
前記リベットの中心軸部と外側へ分岐した先端部側と、をそれぞれ分断し、
前記被取付部材から前記リベットを取り除く、ことを特徴とする。
【発明の効果】
【００１６】
本発明の請求項１に係るリベットの加締め装置によれば、比較的簡易な加工を施して形成したリベットを用いることで、加締めた後のリベットの本体軸部から外側に分岐する各先端部分は、最上層の被取付部材の孔の内周面に斜めに密着した状態でしっかりと食い込んだ状態となるのが回避される。従って、上述のように、リベットの先端部分は最上層の被取付部材の孔の内周面に強固に固着されていないので、一度加締めた後のリベットに対して、本発明の請求項３のリベットの取り外し方法を用いれば、本体軸部から外側に向けて分岐し押潰された先端部分を分断させることで、この先端部分も比較的容易に取り外すことができる。このようにして同じ孔に再度リベットを加締めることが可能となる、という利点がある。
本発明の請求項２に係るリベットの加締め装置は、請求項１に係るリベット装置と異なり、上方からリベットを押圧させる上側金具の押圧面にはテーパ状の突起を設ける必要がなく、単純な押圧面のもので比較的容易に取り外しが容易となるリベットの加締め装置が実現できる。
本発明の請求項３に係るリベットの取り外し方法は、リベットとドリルの刃との双方の軸芯合わせを行った後、そのドリルで所望の深さ以上にリベットの本体軸部を抉り取ることで、この本体軸部から外側に開いた先端部分を、本体軸部から容易に分離分断させることができる。従って、目視での軸芯合わせが行えれば、通常のドリルを用いて、リベットの取り外しも可能となる。
【図面の簡単な説明】
【００１７】
【図１】本発明の第１の実施形態に係るリベットの加締め装置の要部を示す説明図である。
【図２】そのリベットの加締め装置に用いるリベットを示す正面図である。
【図３】（Ａ）乃至（Ｃ）は、本発明の第１の実施形態に係るリベットの加締め装置によってリベットを加締めるときの作業を説明図である。
【図４】（Ａ）及び（Ｂ）は、本発明の第１の実施形態に係る加締め装置で加締めたリベットを取り外すときの作業を示す説明図である。
【図５】（Ａ）及び（Ｂ）は、それぞれ、本発明の第１の実施形態に係るリベットを示す平面図及び正面図である。
【図６】（Ａ）から（Ｃ）は、本発明の第２の実施形態に係る加締め装置によってリベットを加締めるときの作業を説明図である。
【図７】本発明の第２の実施形態に係る加締め装置によってリベットを加締めたときの状態を示す断面図である。
【図８】（Ａ）及び（Ｂ）は、それぞれ、従来の加締め用のリベットの形状を示す平面図及び正面図である。
【図９】（Ａ）及び（Ｂ）は、そのリベットを用いた一般的な加締め方法を示す説明図である。
【図１０】（Ａ）乃至（Ｃ）は、従来の他のリベットを用いた加締め方法を示す説明図である。
【発明を実施するための形態】
【００１８】
以下、本発明の実施形態について添付図面を参照しながら詳細に説明する。
（第１の実施形態）
図１は、本発明の第１の実施形態に係るリベットの加締め装置の要部を示すものであり、このリベットの加締め装置１は、リベット２を上下から挟んでリベット２の先端部分を押潰させる、下側金具３（図３参照）及び上側金具４のうちの上側金具４の押圧面４Ａのセンター部分にテーパ状を有する突起４１を備える一方、リベット２の先端面２１には上側金具４の突起４１が入り込むテーパ状溝（以下、「テーパ溝２２」とよぶ）が形成され、かつ、このテーパ溝２２からリベット２の本体軸部２Ｂ（図２参照）の軸線方向の奥部に向けて所要の深さに至るところまで、切り込んだ溝（以下、「切り込み溝２３」とよぶ）が形成されている。
【００１９】
即ち、リベット２は、上下方向からの加圧力で比較的変形し易い材料、例えば炭素鋼などで形成されている。本実施形態のリベット２は、コンプレッサを構成する２種類の部品（以下、これを被取付部材５と呼ぶ）を固定させるようになっており、これらを固定状態に組み付けることで双方の間を気密状態或いは水密状態に確保するようになっている。本実施形態の場合、一体に組み付ける２種類の部品は、下方側がメインフレーム若しくはベアリングプレート、上方側がバッカーバルブであるが、以下ではそれぞれ下側部材５１、上側部材５２とよぶことにする。なお、この下側部材５１、上側部材５２に使用する部品は、特に上記のものに勿論限定されるものではない。
【００２０】
なお、これらの下側部材５１、上側部材５２には、それぞれ、リベット２を挿通させるための孔（以下、これらをリベット孔５１Ａ、リベット孔５２Ａとよぶ）が平坦な面の部分に穿設されている。また、これらのリベット孔５１Ａ、リベット孔５２Ａは、各孔の内径が厚さ方向全体に亘ってほぼ同一の寸法を有する、通常の形状の貫通孔で構成されている。
【００２１】
このリベット２は、図２に示すように、一端部（同図では下端部）に位置する拡径した頭部２Ａと、この頭部２Ａから他端側に向けて延びる同一径を有する本体軸部２Ｂとから構成されている。
【００２２】
本体軸部２Ｂには、先端面２１（同図では上端面）の中央部分を所要の傾斜角度θで深さＨまで断面テーパ状に斜めに切削したテーパ溝２２と、このテーパ溝２２からさらに頭部２Ａ方向に向けて２等分するように所定深さＤだけ切り込みが入れられて分割された切り込み溝２３とを設けている。本体軸部２Ｂに形成したテーパ溝２２及び切り込み溝２３については、本実施形態のような２分割に限定されるものではなく、３分割、４分割等のように３箇所以上の多数に分割する構成であってもよい。なお、ここで、本体軸部２Ｂにおいて、先端面２１から切り込み溝２３まで分割させて分離された各部分を、脚部２Ｃと呼ぶことにする。
【００２３】
下側金具３は、上面部分がフラットな平面を有する通常よく用いられる作業台であるが、剛性を有する金床、アンビルなどであってもよい。
【００２４】
上側金具４は、リベット２の上方から図示外のプレス機などの適宜手段によって押圧することによってリベット２の脚部２Ｃを押し開いて押潰させるものであって、先端がテーパ状を有する突起４1を、フラットな下面部分である押圧面４Ａのセンター部分に備えている。本実施形態の突起４１は、少なくとも使用するリベット２のテーパ溝２２の形状に対応して、その深さＨよりも大きな高さｈ（或いは同等の高さでもよい）で下方へ突出した縦断面三角形状を呈する。
【００２５】
なお、この突起４１は、押し開くリベット２の材質の強度やねばり強さ、或いはリベット２の切り込み溝２３の深さなどの各要素により、適宜のものが可能である。例えばテーパ溝２２の傾斜角度θに比べて鋭角となるように立ち上がり角度α（但し、α＞θ）を大幅に大きく形成したり、突出高さｈをテーパ溝２２の高さＨに比べて大幅に高くさせる（但し、ｈ＞Ｈ）など、リベット２の切り込み溝２３に対して効果的な切り開き作用が発揮できる適宜形状であればよい。
【００２６】
次に、図３を参照しながら、本実施形態に係るリベット２と、下側金具３及び上側金具４を備えたプレス機などを用いて、下側部材５１及び上側部材５２を止め付けるときの加締め作業について説明する。
（１）固定させようとする下側部材５１及び上側部材５２に対して、これらのリベット孔５１Ａ及びリベット孔５２Ａの位置が正確に重なり合うようにして、固定保持しておく。
【００２７】
（２）次に、前述した本実施形態のリベット２を、これらのリベット孔５１Ａ、リベット孔５２Ａに先端側から挿入させ、リベット２の頭部２Ａが下側部材５１のリベット孔５１Ａに係止するまで予め挿入させておく。
【００２８】
（３）その後、リベット２の頭部２Ａが下側金具３の上面に搭載するような状態となるまで、下側金具３を上昇させるとともに、上側金具４を降下させる（図３（Ａ）参照）。これにより、少なくとも、リベット２の先端面２１のテーパ溝２２と上側金具４の突起４１とのセンターが一致するように、予め双方のセンターの位置出し、つまりセンター出しを行っておく。尚、ここでのセンターは、リベット２先端面２１の面積を２等分する分割ラインを指すものとする。
【００２９】
（４）その後、図示外のプレス機等を作動して上側金具４をさらに降下させることで、リベット２の先端面２１のテーパ溝２２に上側金具４の突起４１を押し込ませていく。これにより、リベット２の先端面２１側から切り込み溝２３を切り裂くように押し開く（図３（Ｂ）参照）。
【００３０】
（５）このようにして、リベット２の先端側の脚部２Ｃを左右に開いていくとともに、それぞれの脚部２Ｃを押潰しながら上側部材５２の上面に圧着させる（図３（Ｃ）参照）。
【００３１】
（６）これにより、リベット２を用いて下側部材５１及び上側部材５２を気密状態及び水密状態に保持した状態で一体に固定させることができる。
【００３２】
次に、図４を参照しながら、本発明に係るリベットの取り外し方法により、通常、一般に使用されるものと同様のドリル６及び図示外のＸＹ微動手段を付設したホルダを備えた下側金具７を用いて、下側部材５１及び上側部材５２のリベット孔５１Ａ，５２Ａから、上述した本実施形態のリベット２を取り外すときの作業方法について説明する。なお、この下側金具７には、このようなＸＹ微動手段を図示外のＸ−Ｙステージ上に付設してあるが、目視での軸芯合わせが容易なようであれば、特にこれは付設させなくてもよい。
【００３３】
下側部材５１及び上側部材５２は、上述したようにＸ−Ｙの２次元方向には微動可能となっているが、リベット孔５１Ａ，５２Ａを回転中心として回転することがないような状態で、図示外の上述のホルダなどによってしっかりと固定保持されている。但し、このホルダは、次に説明する軸芯合わせのために、上述した図示外のＸＹ微動手段を付設している。
【００３４】
なお、使用するドリル６の刃６１は、上側部材５２のリベット孔５２Ａとほぼ同一径或いはリベット２の本体軸部２Ｂとほぼ同一径を有するものを使用している。
【００３５】
（１）まず初めに、既にリベット２を止め付けることによって一体に固定されている、下側部材５１及び上側部材５２を、下側金具７のＸ−Ｙステージを構成する上面７Ａに搭載する。この場合、上述したように、下側部材５１及び上側部材５２は、下側金具７の図示外のＸＹ微動手段によって、Ｘ方向及びＹ方向には微調整可能となっている。
【００３６】
（２）次に、例えばＸＹ微動手段及び撮像手段などの適宜手段を用い、予めホルダで回転防止状態に固定されてある下側部材５１及び上側部材５２を、Ｘ−Ｙ軸の２方向に微動させることで、下側部材５１及び上側部材５２を止め付けてあるリベット２と、ドリル６の刃６１との軸芯合わせを行う。
【００３７】
（３）このようにして、リベット２とドリル６の刃６１との軸芯合わせが行われた後に、ドリル刃６１を、リベット２の先端面２１のセンターに設けたテーパ溝２２の中心部に向けて降下させる（図４（Ａ）参照）。
【００３８】
（４）この後、ドリル６の刃６１の軸芯を上側部材５２のリベット孔５２Ａの軸芯に位置合わせさせた状態で降下させる。つまりリベット２の軸芯に位置を合わせながら、刃６１を前進する方向に回転させることで所定深さまで抉る（図４（Ｂ）参照）。この抉る深さは、リベット２の左右の脚部２Ｃが押潰されて切断されるように、上側部材５２の上面に圧着されているリベット２の脚部の先端側の部分の厚さ程度である。
【００３９】
（５）これにより、リベット２の脚部２Ｃの先端側の部分が、脚部２Ｃのうち基端である部分と分断されたならば、通常は外方へ飛び跳ねて外れるので、ドリル６の刃６１を逆回転させてリベット２から抜脱させる。その結果、上側部材５２の上面から、ここに圧着されているリベット２の脚部の先端側の部分が簡単に取り除けるが、もし剥がれ難い場合には、例えばハンマとたがねなどのような適宜の治具で剥がし落とすようにしてもよい。
【００４０】
（６）その後、例えばたがね、ポンチ、その他の適宜の治具を用い、リベット２を先端側から押出すようにして、抜脱させる。これにより、分断されたリベット２の脚部２Ｃも含めて、リベット２の細かい各部まで全て取り外して取り除くことができるので、下側部材５１及び上側部材５２も簡単に分離させることができる。
【００４１】
このように、本実施形態によれば、リベット２の中心軸部２Ｂと脚部２Ｃの外側へ分岐した先端部側とをそれぞれ分断させることで、リベット２を取り外して全て取り除き、下側部材５１及び上側部材５２をばらばらに分離させることができる。その後、この同じ下側部材５１及び上側部材５２を再び用いて、新たなリベット２で止め付け、再度組み付け直すこともできる。
【００４２】
従って、例えば、コンプレッサの組み立て工程の途中で、下側部材５１及び上側部材５２のリベットによる組み付けがうまく行えず、組み付け不良となったような場合であっても、その下側部材５１及び上側部材５２を再度用いて、比較的容易に組み付け作業をやり直すことも可能となる。その結果、組み付け不良となってしまった下側部材５１及び上側部材５２であっても、その再活用ができるので、経済的であると共に、資源の無駄使いを回避できる。
【００４３】
さらに、本実施形態によれば、例えばコンプレッサなどとして長年使用した後に使用しなくなった製品を廃棄するような場合でも、回収してリベット２を取り外せば、下側部材５１及び上側部材５２のような被取付部材を、容易にリサイクルさせることができるようになる。
【００４４】
（第２の実施形態）
次に、本発明の第２の実施形態について、図５乃至図７を参照しながら説明する。尚、この実施形態に置いて、先の第１の実施形態と同一部分には同一符号を付して重複説明を避ける。
図５は、本実施形態に係るリベット２´を示すものであり、このリベット２´は、第１の実施形態と同様、上下方向からの加圧力で比較的変形し易い炭素鋼などで形成されている。本実施形態のリベット２´でも、コンプレッサを構成する前述の２種類の部品を被取付部材５として用いている。
【００４５】
リベット２´は、同図に示すように、頭部２Ａから他端側に向けて延びる同一径を有する本体軸部２Ｂにおいて、先端面２１（同図では上端面）の全面に亘り、中央部分から所要の傾斜角度θ´で深さＨ´となるように断面テーパ状に斜めに切削した、テーパ状斜面（以下、「テーパ面２５」とよぶ）と、このテーパ面２５からさらに頭部２Ａ方向に向けて２等分するように所定深さＤだけ切り込みが入れられた後に互いに先端側に向けて外側方向に広がって拡開するように分岐させた溝（以下、「拡開溝２６」とよぶ）とを設けている。
【００４６】
なお、本発明の本体軸部２Ｂに形成したテーパ面２５及び拡開溝２６についても、本実施形態のような２分割に限定されるものではなく、第１の実施形態と同様、３分割、４分割等のように３箇所以上の多数に分割させる構成であってもよい。また、ここで、本体軸部２Ｂにおいて、各先端側のテーパ面２５から拡開溝２６まで分岐させて、断面略Ｖ字型となるように先端に向けて次第に拡開する形状とした部分を拡開脚部２Ｅと呼ぶことにする。
【００４７】
一方、本実施形態のプレス機の一部を構成する下側金具３及び上側金具４´のうち、下側金具３は第１の実施形態と同じものを用いているが、上側金具４´については、第１の実施形態のものと同様の突起４１は設ける必要がなく、単純に平坦な下面４Ａ´を有する構成でよい。
【００４８】
次に、図６を参照しながら、本実施形態に係るリベット２´及びプレス機などを用いて、下側部材５１及び上側部材５２を止め付けるときの加締め作業について説明する。
（１）本実施形態でも、固定させようとする下側部材５１及び上側部材５２に対して、これらのリベット孔５１Ａ及び５２Ａの位置がぴったり重なり合うようにして仮止めさせておく。
【００４９】
（２）次に、リベット２´をこれらのリベット孔５１Ａ，５２Ａに先端側から挿入させ、リベット２´の頭部２Ａが下側部材５１のリベット孔５１Ａに係止するまで予め挿入させておく。
【００５０】
（３）その後、下側部材５１及び上側部材５２を適宜の図示外の保持手段で固定しておく。そして、このリベット２´の頭部２Ａが下側金具３の上面に搭載するような状態となるまで、下側金具３を上昇させるとともに、上側金具４´を降下させる（図６（Ａ）参照）。なお、本実施形態では、リベット２´の先端面であるテーパ溝２５と上側金具４´とのセンター出しを行っておく必要はない。
【００５１】
（４）その後、図示外のプレス機等を作動して上側金具４´を降下させることで、リベット２´の先端面であるテーパ面２５に上側金具４´を押し当てていく。これにより、リベット２´のテーパ面２５側から拡開溝２６を押し開いていく（図６（Ｂ）参照）。
【００５２】
（５）このようにして、リベット２´の先端側の脚部２Ｅを左右に開いていくとともに、それぞれの脚部２Ｅを押潰しながら上側部材５２の上面に圧着させる（図６（Ｃ）参照）。
【００５３】
（６）これにより、図７に示すように、リベット２´を用いて、下側部材５１及び上側部材５２を気密状態及び水密状態に保持した状態で一体に固定させることができる。
【００５４】
なお、本発明に係るリベットの取り外し方法により本実施形態のリベット２´を取り外すときの作業方法については、第１の実施形態の場合と同様、図４に示すドリル６及び図示外のＸＹ微動手段を付設した図示外のホルダを備えた下側金具７を用いて、同様の方向で行うことができる。
【００５５】
従って、本実施形態によれば、予め行っておくリベット２´の形状加工が第１の実施形態のリベット２に比べてやや面倒であるが、加締め装置の上側金具４´は通常の一般的なものがそのまま使用できるので、第１の実施形態のものに比べてコストの増大をもたらすものではない。
【００５６】
しかも、本実施形態によれば、リベット２´の脚部２Ｅは予め左右に大きく拡開して分岐した形状を有するので押し広げやすく、加締め装置の上側金具４´で押し開いて押潰させる加締め作業が容易に、しかも確実に行える。さらに、本実施形態によれば、第１の実施形態のリベット２の脚部２Ｃでの押潰後の厚さに比べて、リベット２´の拡開脚部２Ｅでの押潰後の厚さの方が薄く加工され易い傾向になるので、リベット２´の取り外し作業もさらに容易になる。
更に、上側金具４、４´の中央部に、円錐形状の突起部（第１の実施形態では、突起４１に加えて、突起４１に直交する別の突起を設けてもよい）を設けることによって、加締め工程の後、リベット２、２´の略中央部に、その円錐形状に対応する孔が開くため、リベット２、２´を取り外す際のセンターを容易に認識することができる。
【００５７】
なお、本発明は、上記実施形態に限定されるものではなく、特許請求の範囲に記載の要旨を逸脱しない範囲で各種の変形実施が可能である。
即ち、上記各実施形態では、何れのリベットであっても、加締めようとする被取付部材を気密状態或いは水密状態に組み付けることができるのでコンプレッサに用いる部品に適用させているが、特にこのコンプレッサに使用する部品に限定されるものではなく、各種の製品の板状部分を有する部品どうしの組付けに適用可能である。
また、その被取付部材である各部品については、上記各実施形態のように、リベットによる２つの部品での組み付けに限定されるものではなく、３種類以上の部品を組み付ける場合でも適用可能である。
【符号の説明】
【００５８】
１    加締め装置
２、２´    リベット
２Ａ    頭部
２Ｂ    本体軸部
２Ｃ、２Ｅ    脚部
２１    先端面
２２    テーパ溝
２３    切り込み溝
２５    テーパ面
２６    拡開溝
３    下側金具
４、４´    上側金具
４Ａ    押圧面
４１    突起
５    被取付部材
５１    下側部材
５２    上側部材
５１Ａ、５２Ａ    リベット孔
６    ドリル
６１    刃
７    下側金具
【図１】
2012152818.tif 000003
【図２】
2012152818.tif 000004
【図３】
2012152818.tif 000005
【図４】
2012152818.tif 000006
【図５】
2012152818.tif 000007
【図６】
2012152818.tif 000008
【図７】
2012152818.tif 000009
【図８】
2012152818.tif 000010
【図９】
2012152818.tif 000011
【図１０】
2012152818.tif 000012